(57)【特許請求の範囲】
【請求項１】
可視域中の波長域を選択反射波長域とするコレステリック液晶を含み、かつ少なくとも当該の選択反射波長域を吸収する２色性を有するコレステリック液晶層と、
このコレステリック液晶層の観察側と反対側に設けられた、少なくとも前記選択反射波長域を反射する光反射層と、
を備えるコレステリック液晶表示素子。
【請求項２】
請求項１のコレステリック液晶表示素子において、
前記コレステリック液晶層の２色性は、前記コレステリック液晶に添加された２色性色素によるものであるコレステリック液晶表示素子。
【請求項３】
請求項１または２のコレステリック液晶表示素子において、
前記光反射層が、前記コレステリック液晶と同じ選択反射波長域を有するプレーナ配向したコレステリック液晶からなるコレステリック液晶表示素子。
【請求項４】
黄色の２色性色素を含む青色反射コレステリック液晶層、マゼンタの２色性色素を含む緑色反射コレステリック液晶層、およびシアンの２色性色素を含む赤色反射コレステリック液晶層が積層され、これら３層のコレステリック液晶層の観察側と反対側に白色光反射層が形成されたコレステリック液晶表示素子。
【請求項５】
請求項４のコレステリック液晶表示素子において、
前記青色反射コレステリック液晶層、緑色反射コレステリック液晶層および赤色反射コレステリック液晶層が、この順序で観察側から順に積層されたコレステリック液晶表示素子。
【請求項６】
請求項１〜５のいずれかのコレステリック液晶表示素子と、これを駆動制御する駆動回路とからなり、
その駆動回路は、前記コレステリック液晶表示素子を、前記コレステリック液晶がホメオトロピック配向とされたときの前記光反射層での反射、または前記コレステリック液晶がフォーカルコニック配向とされたときの前記コレステリック液晶層の着色の選択によって表示を行う第１の表示モードと、前記コレステリック液晶がプレーナ配向とされたときの前記コレステリック液晶の選択反射、または前記コレステリック液晶がフォーカルコニック配向とされたときの前記コレステリック液晶層の着色の選択によって表示を行う第２の表示モードとを、選択的に取り得るように駆動制御するコレステリック液晶表示装置。
【請求項７】
請求項１〜５のいずれかのコレステリック液晶表示素子と、これを駆動制御する駆動回路とからなり、
その駆動回路は、前記コレステリック液晶表示素子の前記コレステリック液晶層を形成するコレステリック液晶をホメオトロピック配向またはフォーカルコニック配向にするための選択信号、およびこの選択信号によって選択された配向状態を保持するための保持信号からなる駆動信号を、前記コレステリック液晶層に印加する駆動モードと、前記コレステリック液晶層への印加電圧を閾値以下にする維持モードとを、選択的に取るコレステリック液晶表示装置。
【請求項８】
請求項７のコレステリック液晶表示装置において、
前記駆動回路は、前記駆動モードにおいて、前記選択信号に先立って、前記コレステリック液晶層を形成するコレステリック液晶をホメオトロピック配向に遷移させるための消去信号を前記コレステリック液晶層に印加するコレステリック液晶表示装置。
【請求項９】
請求項７または８のコレステリック液晶表示装置において、
前記駆動回路は、前記維持モードの直前の駆動モードにおける保持信号の時間幅を、他の駆動モードにおける保持信号の時間幅より長くするコレステリック液晶表示装置。
【発明の詳細な説明】
【０００１】
【発明の属する技術分野】
この発明は、各種の電子機器の表示パネルなどとして用いられるコレステリック液晶表示素子、およびその駆動回路を含めたコレステリック液晶表示装置に関する。
【０００２】
【従来の技術】
フラットパネル表示装置として、液晶素子を光シャッターとして、その裏面に配置されたバックライトからの照明光を透過させ、または遮断することによって表示を行う透過型液晶表示装置が広く用いられている。しかし、透過型液晶表示装置は、消費電力が大きい、屋外などの強い外光下では表示が見にくい、という問題がある。
【０００３】
この問題を解決する表示装置として、バックライトを用いないで、外光の反射を利用して表示を行う反射型液晶表示装置が注目されており、その一方式としてコレステリック液晶表示装置が知られている。
【０００４】
コレステリック液晶表示装置は、外光の反射を利用する反射型表示装置であるので、照明用の電力を必要とせず、低消費電力であるだけでなく、無電源で表示内容を保持できるメモリ性を有すること、そのため駆動に薄膜トランジスタなどの高価なアクティブマトリクス基板を必要としないこと、樹脂基板などのフレキシブル基板を利用できること、反射率が高く鮮明な表示が可能であること、などの特長を有する。
【０００５】
コレステリック液晶は、棒状分子からなり、多層状をなす。その分子長軸は、一つの層内では一方向に配向されるが、隣接する層間では配向方向がわずかずつ捩じれ、全体として螺旋構造を形成する。螺旋の周期は、材料を適切に選択することによって、光学波長オーダーにすることができ、その場合には、コレステリック液晶は、可視光を選択的に反射する。この現象は、コレステリック液晶の選択反射として知られている。
【０００６】
このコレステリック液晶の選択反射を利用したコレステリック液晶表示素子は、図１２に断面構造を示すように、それぞれ透明電極２１，２２を形成した２枚の透明基板１１，１２間にコレステリック液晶３１を挟持し、観察側（外光入射側）と反対側の基板１２の裏面に光吸収層４１を形成したものである。
【０００７】
コレステリック液晶３１の配向状態としては、図１２（Ａ）に示すプレーナ、同図（Ｂ）に示すフォーカルコニック、および同図（Ｃ）に示すホメオトロピックの、３種類がある。以下では、プレーナ配向をＰ配向、フォーカルコニック配向をＦ配向、ホメオトロピック配向をＨ配向と称する。
【０００８】
Ｐ配向は、螺旋軸が基板面にほぼ垂直に配向した状態であり、選択反射波長域の色光が観察される。Ｆ配向は、螺旋軸が基板面にほぼ平行に配向した状態であり、コレステリック液晶３１自体は無色であるため、光吸収層４１の色が観測される。Ｈ配向は、螺旋構造がほどけて液晶分子が基板面に垂直に配向した状態であり、やはりコレステリック液晶３１自体は無色であるため、光吸収層４１の色が観測される。
【０００９】
したがって、光吸収層４１を黒色にすれば、Ｐ配向では選択反射波長域の色光が観察され、Ｆ配向およびＨ配向では黒色の外観となるので、特定の色と黒色との表示を行うことができる。
【００１０】
電極２１，２２間に電圧を印加した場合のコレステリック液晶３１の挙動を、図１３を用いて示す。これは、初期配向をＰ配向、Ｆ配向、Ｈ配向として、パルス電圧を一定時間印加し、次いで印加電圧をゼロにして、一定時間後にコレステリック液晶３１の反射率を測定した場合の、印加電圧に対する反射率の特性を模式的に表したものである。
【００１１】
印加電圧−反射率特性は、初期配向がＰ配向の場合にはポイントＡ，Ｅ，Ｆ，Ｃで表され、初期配向がＦ配向の場合にはポイントＤ，Ｅ，Ｆ，Ｃで表され、初期配向がＨ配向の場合にはポイントＡ，Ｅ，Ｂ，Ｃで表される。
【００１２】
ポイントＢ，Ｃでは、電圧印加中はＨ配向となっており、印加電圧をゼロにしたとき、Ｐ配向に遷移するので高反射率となる。ポイントＡは、Ｐ配向であるので高反射率である。ポイントＤ，Ｅ，Ｆは、Ｆ配向であるので低反射率である。電圧ＶＨを印加したときには、初期配向にかかわらずＨ配向（ポイントＣ）となり、電圧ＶＬを印加したときには、初期配向にかかわらずＦ配向（ポイントＥ）となる。
【００１３】
印加電圧がゼロのときには、Ｐ配向（ポイントＡ）とＦ配向（ポイントＤ）が双安定であり、ＺＦＭ（Ｚｅｒｏ  Ｆｉｅｌｄ  Ｍｅｍｏｒｙ）効果を示す。また、電圧ＶＢを印加したときには、Ｈ配向（ポイントＢ）とＦ配向（ポイントＦ）が双安定であり、ＢＦＭ（Ｂｉａｓ  Ｆｉｅｌｄｅｄ  Ｍｅｍｏｒｙ）効果を示す。
【００１４】
〔米国特許第５，７４８，２７７号について〕
米国特許第５，７４８，２７７号には、上記のコレステリック液晶表示素子の駆動方法として、ダイナミック・ドライブ法と名づけられた方法が提案されている。この方法では、図１４に示すように、消去信号、選択信号および保持信号からなる一連の駆動信号を印加した後、印加電圧をゼロにする。米国特許第５，７４８，２７７号では、これら消去、選択、保持を、それぞれＰｒｅｐａｒａｔｉｏｎ，Ｓｅｌｅｃｔｉｏｎ，Ｅｖｏｌｕｔｉｏｎと呼んでいる。
【００１５】
すなわち、ダイナミック・ドライブ法では、まず、消去信号として高電圧パルスを印加して、コレステリック液晶をＨ配向（ポイントＣ）に遷移させる。次に、選択信号として電圧ＶＢまたはＶＬを印加して、コレステリック液晶をＨ配向（ポイントＢ）またはＦ配向（ポイントＥ）に遷移させる。次に、保持信号として電圧ＶＢを印加して、Ｈ配向（ポイントＢ）またはＦ配向（ポイントＦ）を保持する。
【００１６】
保持信号は、Ｆ配向を安定させるために必要である。すなわち、Ｈ配向（ポイントＣ）からＦ配向（ポイントＥ）に遷移させる場合、コレステリック液晶がトランジェント・プレーナ配向（ＴＰ配向）と呼ばれる過渡状態を経由し、このＴＰ配向からＦ配向への遷移が完了する前に印加電圧をゼロにすると、コレステリック液晶はＰ配向に遷移してしまう。これを防止するために、保持信号として電圧ＶＢを一定時間印加する。
【００１７】
保持信号を印加することによってＨ配向（ポイントＢ）またはＦ配向（ポイントＦ）が保持されるが、これらはいずれも無色の状態であるので、最後に印加電圧をゼロにして、Ｈ配向（ポイントＢ）をＰ配向（ポイントＡ）に遷移させ、選択反射を生じさせる。
【００１８】
すなわち、ダイナミック・ドライブ法では、一旦、ＢＦＭ効果を利用して、Ｈ配向とＦ配向によって表示画像を書き込み、次に、印加電圧をゼロにして、Ｈ配向をＰ配向に遷移させることによって、表示画像を可視化し、かつＺＦＭ効果を利用して、無電源で表示内容を保持する。
【００１９】
動画を表示する場合には、図１５に示すように、各フレームごとに、消去、選択、保持、電圧ゼロという４つのステップを繰り返す。図１５は、ある画素につき、フレーム１では明表示を行い、フレーム２では暗表示を行う場合で、同時に、そのときの反射率の変化を模式的に示したものである。
【００２０】
〔特開平１０−２０６８９９号について〕
一方、特開平１０−２０６８９９号には、ＰＣＧＨ（Ｐｈａｓｅ  Ｃｈａｎｇｅ  Ｇｕｅｓｔ  Ｈｏｓｔ）モードのコレステリック液晶表示素子の駆動方法が示されている。
【００２１】
ＰＣＧＨモードのコレステリック液晶表示素子は、図１６に断面構造を示すように、それぞれ透明電極２１，２２を形成した２枚の透明基板１１，１２間にコレステリック液晶３１を挟持するが、そのコレステリック液晶３１の選択反射波長域を赤外域またはそれより長波長の波長域とするとともに、コレステリック液晶３１に２色性色素を添加して、コレステリック液晶３１の配向変化による透過率変化によって表示を行うものである。コレステリック液晶３１自体は可視域内の反射光を生じないので、観察側と反対側の基板１２の裏面に光反射層４２を形成する。
【００２２】
このＰＣＧＨモードのコレステリック液晶表示素子では、図１６（Ａ）または（Ｂ）のようにコレステリック液晶３１がＰ配向またはＦ配向のときには、コレステリック液晶３１に含まれる２色性色素の光吸収によってコレステリック液晶３１が着色され、同図（Ｃ）のようにコレステリック液晶３１がＨ配向のときには、コレステリック液晶３１が透明となるので、光反射層４２の色が観測される。
【００２３】
印加電圧に対する配向変化は、２色性色素を含まない場合と同じである。しかし、コレステリック液晶３１の配向変化を、選択反射により可視化するか、２色性色素の光吸収によるコレステリック液晶３１の透過率変化により可視化するかによって、印加電圧に対する反射率の特性は変化する。
【００２４】
図１７に、この場合の印加電圧−反射率特性を模式的に示す。図１３と異なる点は、ポイントＡの高反射率領域が存在しない点である。これは、Ｐ配向とＦ配向がいずれも着色状態であるためである。
【００２５】
すなわち、印加電圧がゼロのときには、２色性色素の有無にかかわらず、Ｐ配向とＦ配向が双安定状態として存在するが、ＰＣＧＨモードでは、これら配向状態は、いずれも着色状態であるため、印加電圧−反射率特性上はヒステリシスとして観測されない。そのため、ＰＣＧＨモードでは、実質的にＺＦＭ効果を利用することができず、バイアス電圧ＶＢを印加したときに生じるＨ配向（ポイントＢ）とＦ配向（ポイントＦ）の双安定性によるＢＦＭ効果のみを利用して表示を行うことになる。
【００２６】
この点から、特開平１０−２０６８９９号の駆動方法では、図１８に示すように、各フレームごとに、消去信号、選択信号および保持信号からなる一連の駆動信号を印加する。図１８は、ある画素につき、フレーム１ではＨ配向によって光反射層４２での反射による明表示を行い、フレーム２ではＦ配向によって２色性色素による着色による暗表示を行う場合である。
【００２７】
すなわち、特開平１０−２０６８９９号の駆動方法では、まず、消去信号として高電圧パルスを印加して、コレステリック液晶をＨ配向（ポイントＣ）に遷移させる。次に、選択信号として電圧ＶＢまたはＶＬを印加して、コレステリック液晶をＨ配向（ポイントＢ）またはＦ配向（ポイントＥ）に遷移させる。次に、保持信号として電圧ＶＢを印加して、Ｈ配向（ポイントＢ）またはＦ配向（ポイントＦ）を保持する。
【００２８】
以上は、米国特許第５，７４８，２７７号のダイナミック・ドライブ法と同じであるが、印加電圧がゼロの期間が存在しない点が、ダイナミック・ドライブ法と異なる。すなわち、特開平１０−２０６８９９号の駆動方法では、消去、選択、保持という３つのステップを繰り返すことによって、ＢＦＭ効果のみを利用して表示を行う。
【００２９】
【発明が解決しようとする課題】
しかしながら、図１４および図１５に示して上述した米国特許第５，７４８，２７７号のダイナミック・ドライブ法では、消去、選択、保持の期間中は、Ｈ配向かＦ配向かであって、選択反射の反射光を生じず、反射光を生じるのは、保持信号後の印加電圧がゼロの期間だけである。
【００３０】
そして、液晶材料や印加電圧によっても異なるが、一般に、消去期間としては数ｍ秒、選択期間としては１ｍ秒、保持期間としては１０数ｍ秒が必要であり、一方、フリッカーを防止するためには、フレーム周期は３０ｍ秒以下にする必要がある。
【００３１】
そのため、ダイナミック・ドライブ法では、フレーム周期に対する反射光を生じる時間の割合が低く、５０％を超えることは困難である。また、Ｈ配向からＰ配向に遷移するときの反射率の立ち上がり時間は、一般に１００〜２００ｍ秒と長いため、フレーム期間内で反射率が飽和しない。
【００３２】
その結果、ダイナミック・ドライブ法では、動画表示時の時間平均反射率が低く、動画表示時、暗い表示しか得られないという問題がある。この問題を回避するために、消去、選択、保持の期間中では最も長い保持期間を短くすることも考えられるが、そうすると、図１５のフレーム２から明らかなように、保持信号後の印加電圧がゼロの期間中に反射率が上昇して、コントラストが低下するという問題を生じる。
【００３３】
一方、図１６〜図１８に示して上述したＰＣＧＨモードのコレステリック液晶表示素子および特開平１０−２０６８９９号の駆動方法では、選択期間と保持期間のみが表示に関与することとなり、印加電圧がゼロの期間が不要であるので、米国特許第５，７４８，２７７号のダイナミック・ドライブ法に比べて、時間利用率、すなわちフレーム周期に対する反射光を生じる時間の割合を高くすることができ、動画表示時の時間平均反射率を高くすることができる。
【００３４】
しかしながら、ＰＣＧＨモードのコレステリック液晶表示素子および特開平１０−２０６８９９号の駆動方法では、印加電圧がゼロのときに生じるＰ配向とＦ配向の双安定性によるＺＦＭ効果を利用しないので、静止画を表示する場合のように表示内容を保持するためには、各フレームで繰り返し書き込みを行うか、バイアス電圧ＶＢを印加し続けなければならず、無電源で表示内容を保持することができないという問題がある。
【００３５】
そこで、この発明は、動画表示時には、時間利用率を高くすることができ、明るくコントラストの高い表示を得ることができるとともに、静止画表示時には、繰り返し書き込みを行い、またはバイアス電圧を印加し続けることなく、無電源または少電源で表示内容を保持することができ、消費電力を大幅に低減することができるようにしたものである。
【００３６】
【課題を解決するための手段】
この発明のコレステリック液晶表示素子は、
可視域中の波長域を選択反射波長域とするコレステリック液晶を含み、かつ少なくとも当該の選択反射波長域を吸収する２色性を有するコレステリック液晶層と、
このコレステリック液晶層の観察側と反対側に設けられた、少なくとも前記選択反射波長域を反射する光反射層と、
を備えるものとする。
【００３７】
コレステリック液晶層を２色性を有するものとするには、コレステリック液晶に２色性色素を添加するか、またはコレステリック液晶自体として２色性を有する液晶を用いる。
【００３９】
【作用】
この発明のコレステリック液晶表示素子では、コレステリック液晶の選択反射波長域を可視域内とし、かつコレステリック液晶に２色性色素を添加するなどによりコレステリック液晶層に少なくともコレステリック液晶の選択反射波長域を吸収する２色性を持たせるとともに、コレステリック液晶層の観察側と反対側に少なくともコレステリック液晶の選択反射波長域を反射する光反射層を設けるので、（ａ）コレステリック液晶のＨ配向とＦ配向の双安定性によるＢＦＭ効果を用い、コレステリック液晶層の透過率変化を利用した、Ｈ配向時の光反射層での反射またはＦ配向時のコレステリック液晶層の着色の選択によって表示を行う第１の表示モードと、（ｂ）コレステリック液晶のＰ配向とＦ配向の双安定性によるＺＦＭ効果を用い、コレステリック液晶の選択反射の反射率の相違を利用した、Ｐ配向時のコレステリック液晶の選択反射またはＦ配向時のコレステリック液晶層の着色の選択によって表示を行う第２の表示モードとを、選択的に取り得るようになる。
【００４０】
したがって、動画表示時には、第１の表示モードを選択することによって、時間利用率、すなわちフレーム周期に対する反射光を生じる時間の割合を高くすることができ、明るくコントラストの高い表示を得ることができるとともに、静止画表示時には、第１の表示モードから第２の表示モードに移行することによって、繰り返し書き込みを行い、またはバイアス電圧を印加し続けることなく、無電源または少電源で表示内容を保持することができ、消費電力を大幅に低減することができる。
【００４１】
【発明の実施の形態】
〔単層型表示素子とその駆動制御方法〕
（素子構成の一例）
図１は、この発明のコレステリック液晶表示装置の一例を示し、そのコレステリック液晶表示装置は、コレステリック液晶表示素子１０と、これを駆動制御する駆動回路７０とからなる。以下では、コレステリック液晶表示素子１０を表示素子１０と略称する。
【００４２】
表示素子１０は、この例では、基板１１，１２の一面に、それぞれ電極２１，２２を形成して、基板１１，１２を、電極２１，２２側を内側にして対向させ、基板１１，１２間に、コレステリック液晶３１に２色性色素３２を添加したコレステリック液晶層３０を形成し、観察側と反対側の基板１２の裏面に、光反射層４３を形成する。
【００４３】
コレステリック液晶３１は、赤色、緑色または青色など、可視域（４００〜８００ｎｍ）中の波長域を選択反射波長域とするものとする。その材料としては、例えば、コレステリル・クロライドやコレステリル・ノナノエートなどのコレステロール誘導体などの液晶性不斉炭素化合物や、ベンジリデンアニリン、アゾベンゼン、アゾキシベンゼン、シアノビフェニル、シアノターフェニル、フェニルシクロヘキサン、フェニルベンゾエート、シクロヘキシルシクロヘキサン、シクロヘキシルカルボン酸エステル、フェニルピリミジン、フェニルジオキサン、シクロヘキシルシクロヘキサンエステル、シクロヘキシルエタン、シクロヘキセン、トランなどの化学構造を含む公知のネマチック液晶性化合物に、２−メチル−ｎ−ブチルシアノビフェニルなどのカイラル剤と呼ばれる不斉炭素化合物を添加した組成物を用いることができる。
【００４４】
２色性色素３２は、コレステリック液晶３１の選択反射波長域を吸収するものや、可視波長域をほぼ均等に吸収する黒色の２色性色素などとする。２色性色素３２としては、アゾ系、アントラキノン系、クマリン系などの公知の２色性色素を用いることができる。
【００４５】
２色性色素３２の濃度が低すぎると、コレステリック液晶３１のＦ配向時の着色が不十分となり、逆に濃度が高すぎると、コレステリック液晶３１のＨ配向時の透過率が低下し（光反射層４３での反射の反射率が低下し）、コレステリック液晶３１のＰ配向時の選択反射の反射率が低下する。そのため、２色性色素３２の濃度には適切な範囲が存在する。その範囲は、２色性色素３２の吸収の強さや２色比、コレステリック液晶層３０の厚み（セルギャップ）などによっても異なるが、一般に１〜１０％が適する。
【００４６】
コレステリック液晶層３０は、コレステリック液晶および２色性色素以外の成分を含んでもよい。例えば、コレステリック液晶層３０を、コレステリック液晶中に高分子や無機化合物を、ゲル状、マトリクス状、微粒子状に分散させた層とし、または逆に、高分子マトリクス中にコレステリック液晶を液滴状に分散させた層や、マイクロカプセル内にコレステリック液晶を包含させた層としてもよい。
【００４７】
また、コレステリック液晶３１に２色性色素３２を添加する代わりに、コレステリック液晶３１自体として２色性を有する液晶を用いてもよい。
【００４８】
基板１１，１２は、透光性絶縁材料、例えば、ホウ珪酸ガラスや石英ガラスなどのガラスや、ポリエステル、ポリカーボネート、ポリエーテルスルフォンなどの樹脂によって形成する。
【００４９】
電極２１，２２は、基板１１，１２上に、透光性導電材料、例えば、酸化インジウムすず、酸化すず、アルミニウム添加酸化亜鉛などを、スパッタリング法、蒸着法、ゾルゲル法などによって薄膜状に成膜後、フォトエッチング法などによって所望形状に加工して形成する。
【００５０】
光反射層４３は、コレステリック液晶３１の選択反射波長域を反射するものや、可視波長域をほぼ均等に反射する白色の光反射層などとする。例えば、コレステリック液晶３１を赤色を選択反射するものとする場合、光反射層４３は赤色または白色などとする。
【００５１】
光反射層４３は、基板１２上に塗料を塗布し、金属箔を接着し、または金属を蒸着するなどによって形成する。また、光反射層４３は、基板１２上に直接形成しないで、別の基板上に形成したものを、その基板ごと基板１２に接着してもよい。さらに、光反射層４３を電極２２または基板１２に兼ねさせることもできる。その場合には勿論、電極２２または基板１２は透光性としない。
【００５２】
図１の例の表示素子１０は、例えば、以下のようにして作製する。まず、電極２１，２２が形成された基板１１，１２の端部に、液晶注入口を残して接着剤を塗布し、スペーサを介して基板１１，１２を一定間隔で接着して、空セルを作製する。次に、その空セルに２色性色素３２を添加したコレステリック液晶３１を注入し、注入口を封止する。コレステリック液晶層３０の厚みは、２〜２０μｍ程度とする。最後に、基板１２の裏面に光反射層４３を形成する。
【００５３】
表示素子１０の光学特性や電気−光学特性、あるいはこれらの均一性などを改善するために、電極２１，２２とコレステリック液晶層３０との界面に配向膜を設けてもよい。配向膜としては、ポリイミドやポリビニルアルコールなどの樹脂、アルキルアンモニウム化合物やアルキルシラン化合物などの低分子表面改質剤、またはＳｉＯなどの無機薄膜などを用いることができる。配向膜は、特に垂直配向性のものが好ましい。
【００５４】
（駆動制御方法と表示態様）
駆動回路７０による表示素子１０の駆動制御方法としては、図４または図５のフレーム１およびフレーム２に示すように、コレステリック液晶３１をＨ配向またはＦ配向にするための選択信号、およびこの選択信号によって選択された配向状態を保持するための保持信号からなる駆動信号Ｓ１を、電極２１，２２間に印加する駆動モードと、図４または図５のフレーム３に示すように、駆動信号Ｓ１を印加しないで、電極２１，２２間への印加電圧をゼロにする維持モードとを、選択的に取るようにする。以下では、電極２１，２２間への印加電圧を、単に印加電圧と称する。
【００５５】
印加電圧をゼロにするのは、後述のように、直前に駆動信号Ｓ１の印加によって書き込んだ表示内容を保持するためである。ただし、印加電圧を完全にゼロにしないで、ある閾値以下にしてもよい。以下の例では、印加電圧をゼロにする場合を示す。
【００５６】
そして、動画を表示するときには、各フレームごとに駆動信号Ｓ１を印加し、そのときの表示内容を保持して静止画を表示するときには、印加電圧をゼロにする。以下では、駆動信号Ｓ１を印加する駆動モードを動画モードと称し、印加電圧をゼロにする維持モードを静止画モードと称する。
【００５７】
さらに、動画モードでは、コレステリック液晶３１のＨ配向とＦ配向の双安定性によるＢＦＭ効果を用い、コレステリック液晶層３０の透過率変化を利用して、Ｈ配向時の光反射層４３での反射またはＦ配向時のコレステリック液晶層３０の着色の選択によって表示を行い、静止画モードでは、コレステリック液晶３１のＰ配向とＦ配向の双安定性によるＺＦＭ効果を用い、コレステリック液晶３１の選択反射の反射率の相違を利用して、Ｐ配向時のコレステリック液晶３１の選択反射またはＦ配向時のコレステリック液晶層３０の着色の選択によって表示を行う。
【００５８】
図６に、この場合の印加電圧−反射率特性を模式的に示す。ポイントＢ，ＣはＨ配向であり、光反射層４３での反射によって高反射率となる。ポイントＤ，Ｅ，ＦはＦ配向であり、２色性色素３２によるコレステリック液晶層３０の着色によって低反射率となる。ポイントＡはＰ配向であり、コレステリック液晶３１の選択反射によって高反射率となる。
【００５９】
選択信号は、コレステリック液晶３１をＨ配向（ポイントＣ）またはＦ配向（ポイントＥ）にするための信号であり、その電圧はＶＨまたはＶＬである。保持信号は、選択信号によって選択された配向状態（ポイントＢまたはポイントＦ）を保持するための信号であり、その電圧はＶＢである。
【００６０】
動画モードから静止画モードへの移行は、駆動信号Ｓ１の印加後、すなわち保持信号の印加後、印加電圧をゼロにすることによって実現する。このとき、図４のように、直前の保持信号によってＨ配向（ポイントＢ）が保持されていた場合、すなわち光反射層４３での反射による明表示が得られていた場合には、印加電圧ゼロによりＰ配向（ポイントＡ）に遷移することによって、コレステリック液晶３１の選択反射による明表示が得られるとともに、明表示状態が保持される。
【００６１】
逆に、図５のように、直前の保持信号によってＦ配向（ポイントＦ）が保持されていた場合、すなわち２色性色素３２による着色による暗表示が得られていた場合には、印加電圧ゼロによりＦ配向（ポイントＤ）が維持されることによって、２色性色素３２による着色による暗表示が保持される。
【００６２】
以上のように、静止画モード（維持モード）にすることによって、直前の動画モード（駆動モード）で書き込んだ表示内容を無電源で保持することができる。
【００６３】
Ｈ配向（ポイントＢ）からＰ配向（ポイントＡ）への遷移を完全に行うには、保持信号から印加電圧ゼロへの遷移を十分に高速に行う必要がある。この遷移速度が遅いと、Ｈ配向（ポイントＢ）からＦ配向（ポイントＤ）に遷移してしまう。
【００６４】
上述したように、図４は、ある画素につき、フレーム１，２では、Ｈ配向によって光反射層４３での反射による明表示を行い、フレーム３では、Ｐ配向によってコレステリック液晶３１の選択反射による明表示を行い、フレーム１，２に引き続いて明表示を維持する場合である。この発明では、このように明表示のフレームが連続する場合、反射率の時間変動をほとんど生じないので、フリッカーが生じにくい利点がある。
【００６５】
図５に示すように、動画モードでの駆動信号Ｓ１には、選択信号に先立って消去信号を加えることが望ましい。図５は、図４とは逆に、ある画素につき、フレーム１，２では、Ｆ配向によって２色性色素３２による着色による暗表示を行い、フレーム３でも、Ｆ配向によって同じ暗表示を行い、フレーム１，２に引き続いて暗表示を維持する場合である。
【００６６】
消去信号は、コレステリック液晶３１をＨ配向（ポイントＣ）にするための高電圧パルスである。図４のように選択信号によってコレステリック液晶３１をＨ配向（ポイントＣ）にする場合には、選択信号を高電圧ＶＨにするので、選択信号の直前に消去信号を加える必要はない。この場合には、選択信号が消去信号を兼ねることになる。
【００６７】
しかし、図５のように選択信号によってコレステリック液晶３１をＦ配向（ポイントＥ）にする場合、すなわち選択信号を低電圧ＶＬにする場合には、選択信号の直前に消去信号を加えないと、選択信号の時間幅を数１０ｍ秒程度にしなければ、Ｆ配向（ポイントＥ）に遷移させることは難しい。これに対して、選択信号の直前に消去信号を加えることによって、選択信号の時間幅を１ｍ秒以下に短縮することができる。
【００６８】
消去信号として高電圧パルスを印加することによって選択信号の時間幅を短縮すること自体は、従来技術として引用した特開平１０−２０６８９９号に示されているが、特開平１０−２０６８９９号の表示素子および駆動方法では、その公報の段落００１９〔表１〕中の「Ｃ→Ｄ」欄に記載されているように、選択信号の時間幅は、なお２０ｍ秒程度必要である。
【００６９】
これに対して、この発明では、消去信号として高電圧パルスを印加することによって、選択信号の時間幅を１ｍ秒以下に短縮することができる。これは、特開平１０−２０６８９９号では、コレステリック液晶として選択反射波長域が赤外域またはそれより長波長の波長域となる長い螺旋ピッチのものを用いるのに対して、この発明では、コレステリック液晶として選択反射波長域が可視域内となる短い螺旋ピッチのものを用いるからである。
【００７０】
さらに、消去信号を加えることによって中間調表示が可能となる。消去信号がない場合には、反射率は選択電圧だけでなく、それ以前の電圧履歴にも依存するため、中間調表示が困難である。しかし、消去信号を加えることによって一旦、表示が消去されるため、直後の選択電圧に対して一意的に反射率が決定されることになり、選択電圧としてＶＨとＶＬの中間の電圧を印加することによって、中間調を表示することが可能となる。
【００７１】
選択信号の時間幅の短縮化という点では、図４のように選択信号によってコレステリック液晶３１をＨ配向にする場合には消去信号は不要であるが、中間調表示も可能とし、また駆動信号Ｓ１の形態を統一して駆動回路７０を簡略化するという点では、選択信号によってコレステリック液晶３１をＨ配向にする場合にも消去信号を加えることが望ましい。
【００７２】
図５のようにＦ配向によって暗表示を行う場合、消去信号および選択信号の期間中はＨ配向となるため、図示するようなスパイク状の反射率変動を生じ、これがフリッカーやコントラスト低下の原因となる。そのため、消去信号および選択信号の時間幅は短い方が好ましい。
【００７３】
図５のフレーム２に示すような、動画モードから静止画モードに移行する際の保持信号は、米国特許第５，７４８，２７７号のダイナミック・ドライブ法における保持信号と同様に、Ｆ配向を安定化させるために必要である。Ｆ配向の安定性は保持信号の時間が長いほど高くなるので、動画モードから静止画モードに移行する際の保持信号の時間だけ、動画モードを繰り返す際の保持信号の時間より長くしてもよい。すなわち、図５の場合、太い破線で示すようにフレーム３の一部にまたがって保持信号を印加してもよい。
【００７４】
図４および図５の例は、駆動信号Ｓ１の極性をフレームごとに反転させる場合である。一般に、液晶表示装置では、このような駆動信号の交流化は、液晶の劣化、しきい値電圧の変動、画像の焼き付きを防止するために有効である。
【００７５】
駆動信号Ｓ１の極性をフレームごとに反転させる代わりに、図７に示すように、駆動信号Ｓ１の消去信号、選択信号および保持信号のそれぞれを極性が反転したパルスによって構成してもよい。
【００７６】
（素子構成の他の例）
図６ではポイントＡの反射率とポイントＢ，Ｃの反射率を等しくしているが、ポイントＡの反射率はコレステリック液晶３１がＰ配向のときの選択反射の反射率であるのに対して、ポイントＢ，Ｃの反射率はコレステリック液晶３１がＨ配向のときのコレステリック液晶層３０の透過率と光反射層４３の反射率とに依存するので、一般に両者は一致しない。反射率だけでなく、表示色やコントラスト、これらの視角依存性などの表示特性も、動画モードと静止画モードでは、特に注意して一致させようとしない限り、異なるのが普通である。
【００７７】
このような相違は、動画モードから静止画モードに移行し、または逆に静止画モードから動画モードに移行する際に、観察者に違和感を抱かせるので、できるだけ少ない方が望ましい。この点から、光反射層４３として、コレステリック液晶３１と同じ選択反射波長域を有するプレーナ配向したコレステリック液晶を用いると、好適である。
【００７８】
図２は、その場合のコレステリック液晶表示装置を示し、この例では、表示素子１０は、基板１２とその裏面側の他の基板４５との間に、コレステリック液晶３１と同じ選択反射波長域を有するプレーナ配向したコレステリック液晶４４の層を形成する。基板４５の裏面には、例えば黒色の光吸収層４６を形成する。ただし、基板４５に光吸収層４６を兼ねさせることもできる。
【００７９】
コレステリック液晶４４には電圧を印加せず、コレステリック液晶４４がＰ配向されていてコレステリック液晶３１の選択反射色と同じ色を選択反射することを利用して、コレステリック液晶４４を光反射層とする。
【００８０】
この例によれば、表示色やコントラスト、これらの視角依存性などの表示特性を、動画モードと静止画モードとで一致させることができる。
【００８１】
この場合、光反射層として、右捩じれのコレステリック液晶セルと左捩じれのコレステリック液晶セルとを積層すれば、より反射率の高い光反射層を形成することができる。
【００８２】
また、このようなセル形態にしないで、高分子液晶性のコレステリック液晶フィルム、またはこれを基板上に形成したものを、光反射層として基板１２に貼り付けてもよい。
【００８３】
さらに、上述した例とは逆に、動画モードと静止画モードとの間の相違を積極的に利用して、特殊な視覚効果を得ることもできる。例えば、図１の例において、コレステリック液晶３１の選択反射を赤色、２色性色素３２を黒色、光反射層４３を緑色にすることによって、動画モードでは緑色と黒色による表示を行い、静止画モードでは赤色と黒色による表示を行うようにしてよい。
【００８４】
（マトリクス駆動）
上述した例は、表示素子１０の各画素に個別に駆動信号を印加するセグメント駆動の場合であるが、この発明は、単純マトリクス駆動やアクティブマトリクス駆動の場合にも適用することができる。
【００８５】
図８は、単純マトリクス駆動の場合の、駆動回路を含むコレステリック液晶表示装置の一例を示す。この例では、表示素子１０の信号ラインＸ１，Ｘ２，Ｘ３‥‥を、信号電圧発生回路７１に接続し、表示素子１０の走査ラインＹ１，Ｙ２，Ｙ３‥‥を、走査電圧発生回路７２に接続する。信号ラインＸ１，Ｘ２，Ｘ３‥‥と走査ラインＹ１，Ｙ２，Ｙ３‥‥との交点Ｙ１−Ｘ１，Ｙ１−Ｘ２‥‥Ｙ２−Ｘ１，Ｙ２−Ｘ２‥‥が、各画素である。
【００８６】
図９に、この例の、走査電圧発生回路７２から走査ラインＹ１，Ｙ２に出力される走査電圧、信号電圧発生回路７１から信号ラインＸ１，Ｘ２に出力される信号電圧、画素Ｙ１−Ｘ１，Ｙ２−Ｘ１のコレステリック液晶層に印加される駆動電圧、および画素Ｙ１−Ｘ１，Ｙ２−Ｘ１の反射率を示す。ただし、フレーム１では、画素Ｙ１−Ｘ１を暗表示、画素Ｙ２−Ｘ１を明表示し、フレーム２では、画素Ｙ１−Ｘ１を明表示、画素Ｙ２−Ｘ１を暗表示した後、フレーム３で静止画モードに移行する場合である。
【００８７】
走査ラインＹ１，Ｙ２への走査電圧としては、それぞれ、消去、選択、保持に対応させて電圧Ｖｒ，Ｖｓ，Ｖｈを順次、フレーム１とフレーム２では極性を反転させて出力する。走査ラインＹ１への走査電圧と走査ラインＹ２への走査電圧は、波形形状は同じにするが、走査ラインＹ１と走査ラインＹ２とで選択期間が重ならないように、走査ラインＹ２への走査電圧は、走査ラインＹ１への走査電圧に対して、選択期間の時間だけ遅らせて出力する。
【００８８】
信号ラインＸ１への信号電圧としては、走査ラインＹ１についての選択期間では電圧Ｖｄを、走査ラインＹ２についての選択期間では電圧−Ｖｄを、それぞれ出力し、信号ラインＸ２への信号電圧としては、走査ラインＹ１についての選択期間では電圧−Ｖｄを、走査ラインＹ２についての選択期間では電圧Ｖｄを、それぞれ出力する。
【００８９】
したがって、画素Ｙ１−Ｘ１に印加される駆動電圧は、フレーム１の走査ラインＹ１についての選択期間ではＶｓ−Ｖｄ、フレーム２の走査ラインＹ１についての選択期間では−Ｖｓ−Ｖｄ＝−（Ｖｓ＋Ｖｄ）となり、画素Ｙ２−Ｘ１に印加される駆動電圧は、フレーム１の走査ラインＹ２についての選択期間ではＶｓ−（−Ｖｄ）＝Ｖｓ＋Ｖｄ、フレーム２の走査ラインＹ２についての選択期間では−Ｖｓ−（−Ｖｄ）＝−（Ｖｓ−Ｖｄ）となる。
【００９０】
したがって、図６に示した電圧ＶＨおよびＶＬとの関係で、Ｖｓ＋Ｖｄ＝ＶＨかつＶｓ−Ｖｄ＝ＶＬとなるように、電圧ＶｓおよびＶｄを設定することによって、ある画素に印加される駆動電圧がＶｓ＋Ｖｄまたは−（Ｖｓ＋Ｖｄ）となるとき、当該画素をＨ配向にして明表示し、ある画素に印加される駆動電圧がＶｓ−Ｖｄまたは−（Ｖｓ−Ｖｄ）となるとき、当該画素をＦ配向にして暗表示することができる。
【００９１】
ある走査ラインについての選択期間中に出力された信号電圧Ｖｄまたは−Ｖｄは、消去期間中または保持期間中の他の走査ラインに属する画素にも印加されてクロストークを生じる。そこで、この場合、消去期間中の画素に印加される駆動電圧は絶対値がＶｒ−ＶｄまたはＶｒ＋Ｖｄとなるので、絶対値がＶｒ−Ｖｄとなるときにも消去可能なように、電圧Ｖｒを十分高く設定し、また保持期間中の画素に印加される駆動電圧は絶対値がＶｈ−ＶｄまたはＶｈ＋Ｖｄとなるので、絶対値がＶｈ−ＶｄまたはＶｈ＋ＶｄのいずれになるときにもＨ配向とＦ配向の双安定状態から外れないように、電圧Ｖｈを適切に設定する。
【００９２】
１フレーム中に走査可能な走査ライン数は、フレーム周期／選択期間の時間幅で与えられ、選択期間が短いほど、１フレーム中に走査可能な走査ライン数を多くすることができる。そこで、図１０に示すように選択信号の前後に、または選択信号の直前もしくは直後に、電圧ＶＬより低い電圧の補助信号を設けてもよい。
【００９３】
これによって、選択期間を短縮しても、コレステリック液晶３１を確実にＨ配向またはＦ配向にすることができ、選択期間を短縮して、１フレーム中に走査可能な走査ライン数を多くすることができる。
【００９４】
〔積層型表示素子とその駆動制御方法〕
この発明は、コレステリック液晶層を複数層に渡って積層して多色表示を行うコレステリック液晶表示装置にも適用することができる。
【００９５】
図３は、この場合のコレステリック液晶表示装置の一例を示す。この例では、表示素子１０は、液晶セル５０Ｂ，５０Ｇ，５０Ｒを、この順序で観察側から順に積層し、観察側と反対側の液晶セル５０Ｒの裏面に、白色光反射層４７を形成する。白色光反射層４７は、液晶セル５０Ｒの裏面側の基板１２または電極２２に兼ねさせることもできる。
【００９６】
液晶セル５０Ｂは、電極２１，２２が形成された基板１１，１２間に、青色の波長域を選択反射波長域とするコレステリック液晶３１Ｂに黄色の２色性色素３２Ｙを添加したコレステリック液晶層３０Ｂを形成し、液晶セル５０Ｇは、電極２１，２２が形成された基板１１，１２間に、緑色の波長域を選択反射波長域とするコレステリック液晶３１Ｇにマゼンタの２色性色素３２Ｍを添加したコレステリック液晶層３０Ｇを形成し、液晶セル５０Ｒは、電極２１，２２が形成された基板１１，１２間に、赤色の波長域を選択反射波長域とするコレステリック液晶３１Ｒにシアンの２色性色素３２Ｃを添加したコレステリック液晶層３０Ｒを形成する。
【００９７】
ここで、青色、緑色、赤色は、加法混色における３原色を意味し、大きくは、それぞれ４００〜５００ｎｍ、５００〜６００ｎｍ、６００〜７００ｎｍの波長成分を有する色光を指す。黄色、マゼンタ、シアンは、減法混色における３原色を意味し、それぞれ青色、緑色、赤色の補色である。また、白色とは、４００〜７００ｎｍの波長成分を有する色光を指す。
【００９８】
液晶セル５０Ｂ，５０Ｇ，５０Ｒは、駆動回路７０によって、それぞれ上述した方法で互いに独立に駆動制御する。
【００９９】
したがって、動画モードでは、コレステリック液晶層３０Ｂは、コレステリック液晶３１ＢのＨ配向時の無色の状態と、コレステリック液晶３１ＢのＦ配向時の２色性色素３２Ｙで黄色に着色された状態とを選択でき、同様にコレステリック液晶層３０Ｇは、無色の状態とマゼンタに着色された状態とを選択でき、コレステリック液晶層３０Ｒは、無色の状態とシアンに着色された状態とを選択でき、表示素子１０全体として、黄色、マゼンタ、シアンの減法混色によって多色表示が可能となる。
【０１００】
一方、静止画モードでは、コレステリック液晶層３０Ｂは、コレステリック液晶３１ＢのＰ配向時の青色の選択反射状態と、コレステリック液晶３１ＢのＦ配向時の２色性色素３２Ｙで黄色に着色された状態とを選択でき、同様にコレステリック液晶層３０Ｇは、緑色の選択反射状態とマゼンタに着色された状態とを選択でき、コレステリック液晶層３０Ｒは、赤色の選択反射状態とシアンに着色された状態とを選択でき、表示素子１０全体として、青色、緑色、赤色の加法混色によって多色表示が可能となる。
【０１０１】
液晶セル５０Ｂ，５０Ｇ，５０Ｒの積層順序は、基本的にはどのような順序でもよいが、以下の理由により、図３の例のように、液晶セル５０Ｂ，５０Ｇ，５０Ｒを、この順序で観察側から順に積層するのが望ましい。
【０１０２】
一般にコレステリック液晶の反射スペクトルは、選択反射波長域の長波長側および短波長側に裾を引き、これが彩度低下の一つの要因となっている。裾の波長域の反射率を低くすることによって彩度を向上させることができるが、その場合、選択反射波長域の長波長側より短波長側の波長域の反射率を低くする方が、彩度向上効果が高い。
【０１０３】
図３の例の表示素子１０では、緑色反射コレステリック液晶層３０Ｇからの反射光中の、選択反射波長域より短波長側の波長域の反射光は、これより上層の青色反射コレステリック液晶層３０Ｂに含まれる黄色の２色性色素３２Ｙによって吸収され、赤色反射コレステリック液晶層３０Ｒからの反射光中の、選択反射波長域より短波長側の波長域の反射光は、これより上層の緑色反射コレステリック液晶層３０Ｇに含まれるマゼンタの２色性色素３２Ｍ、および青色反射コレステリック液晶層３０Ｂに含まれる黄色の２色性色素３２Ｙによって吸収される。したがって、静止画モードでの彩度が向上する。
【０１０４】
また、図３の例の表示素子１０では、あるコレステリック液晶層に含まれる２色性色素は、それより下層のコレステリック液晶層の選択反射波長域より短波長側の波長域を吸収するので、コレステリック液晶層上に、その選択反射波長域より短波長側の波長域を吸収するカラーフィルタを設ける場合と同様に、静止画モードにおいて、視角に依存した色変化を抑制して視野角を拡大することができる。
【０１０５】
〔実験による検証〕
実際に、図１の例のコレステリック液晶表示素子を作製し、駆動回路によって上述した方法で駆動制御して、表示特性を測定した。
【０１０６】
液晶Ｅ４４（メルク社製）／８０．６重量％、カイラル剤Ｓ８１１（メルク社製）／１５．５重量％、カイラル剤Ｓ１０１１（メルク社製）／３．９重量％を混合して、反射スペクトルピーク波長が５３０ｎｍの緑色反射コレステリック液晶を調製した。これに、４００〜７００ｎｍの波長域をほぼ均等に吸収する黒色の液晶用２色性色素Ｓ３４４（三井化学社製）を４．０重量％添加した。
【０１０７】
次に、ＩＴＯ電極が形成されたガラス基板上に、垂直配向ポリイミドＳＥ７５１１Ｌ（日産化学社製）からなる配向膜を形成し、セルギャップ５μｍのセルを作製した。これに、２色性色素Ｓ３４４を４．０重量％含む緑色反射コレステリック液晶を注入し、注入口を封止した後、裏面にセラミック製の白色光反射板を配置した。
【０１０８】
このようにして作製した表示素子のＩＴＯ電極間に、消去信号として１００Ｖの電圧を１ｍ秒、選択信号としてＨ配向用の４０ＶまたはＦ配向用の０Ｖの電圧を１ｍ秒、保持信号として２５Ｖの電圧を２８ｍ秒、印加して、フレーム周期３０ｍ秒で表示素子を駆動した。
【０１０９】
図１１に、１フレームごとに交互に暗表示と明表示を行った場合の印加電圧および反射率の時間変化を示す。選択期間を１ｍ秒という短い時間にしても、暗表示と明表示を高速で切り替えることができた。この場合の時間利用率（保持期間の時間／フレーム周期）は、９３％（＝２８ｍ秒／３０ｍ秒）という著しく高いものである。この動画モードでは、明表示時には白色、暗表示時には黒色の外観が得られた。
【０１１０】
次に、動画モードでＨ配向による明表示を行い、保持信号終了後に印加電圧をゼロにして静止画モードにしたところ、緑色の外観が得られた。同様に、動画モードでＦ配向による暗表示を行い、保持信号終了後に印加電圧をゼロにして静止画モードにしたところ、黒色の外観が得られた。
【０１１１】
【発明の効果】
上述したように、この発明によれば、動画表示時には、時間利用率を高くすることができ、明るくコントラストの高い表示を得ることができるとともに、静止画表示時には、繰り返し書き込みを行い、またはバイアス電圧を印加し続けることなく、無電源または少電源で表示内容を保持することができ、消費電力を大幅に低減することができる。
【図面の簡単な説明】
【図１】この発明のコレステリック液晶表示装置の一例を示す図である。
【図２】この発明のコレステリック液晶表示装置の他の例を示す図である。
【図３】この発明のコレステリック液晶表示装置のさらに他の例を示す図である。
【図４】この発明の駆動制御方法の説明に供する図である。
【図５】この発明の駆動制御方法の説明に供する図である。
【図６】この発明による場合の印加電圧−反射率特性を示す図である。
【図７】駆動信号の他の例を示す図である。
【図８】単純マトリクス駆動の場合のコレステリック液晶表示装置の一例を示す図である。
【図９】単純マトリクス駆動の場合の駆動制御方法の説明に供する図である。
【図１０】駆動信号の他の例を示す図である。
【図１１】試作したコレステリック液晶表示素子についての実験結果を示す図である。
【図１２】従来の一般的なコレステリック液晶表示素子を示す図である。
【図１３】図１２のコレステリック液晶表示素子の印加電圧−反射率特性を示す図である。
【図１４】米国特許第５，７４８，２７７号のダイナミック・ドライブ法を示す図である。
【図１５】ダイナミック・ドライブ法で動画を表示する場合の駆動信号および反射率の時間変化を示す図である。
【図１６】ＰＣＧＨモードのコレステリック液晶表示素子を示す図である。
【図１７】図１６のコレステリック液晶表示素子の印加電圧−反射率特性を示す図である。
【図１８】特開平１０−２０６８９９号の駆動方法による場合の駆動信号および反射率の時間変化を示す図である。
【符号の説明】
１０…コレステリック液晶表示素子
１１，１２…基板
２１，２２…電極
３０…コレステリック液晶層
３０Ｂ…青色反射コレステリック液晶層
３０Ｇ…緑色反射コレステリック液晶層
３０Ｒ…赤色反射コレステリック液晶層
３１…コレステリック液晶
３１Ｂ…青色反射コレステリック液晶
３１Ｇ…緑色反射コレステリック液晶
３１Ｒ…赤色反射コレステリック液晶
３２…２色性色素
３２Ｙ…黄色の２色性色素
３２Ｍ…マゼンタの２色性色素
３２Ｃ…シアンの２色性色素
４３…光反射層
４４…コレステリック液晶（光反射層）
４５…基板
４６…光吸収層
４７…白色光反射層
５０Ｂ，５０Ｇ，５０Ｒ…液晶セル
７０…駆動回路
７１…信号電圧発生回路
７２…走査電圧発生回路
Ｓ１…駆動信号
【図１】
0003944678.tif 000002
【図２】
0003944678.tif 000003
【図３】
0003944678.tif 000004
【図４】
0003944678.tif 000005
【図５】
0003944678.tif 000006
【図６】
0003944678.tif 000007
【図７】
0003944678.tif 000008
【図８】
0003944678.tif 000009
【図９】
0003944678.tif 000010
【図１０】
0003944678.tif 000011
【図１１】
0003944678.tif 000012
【図１２】
0003944678.tif 000013
【図１３】
0003944678.tif 000014
【図１４】
0003944678.tif 000015
【図１５】
0003944678.tif 000016
【図１６】
0003944678.tif 000017
【図１７】
0003944678.tif 000018
【図１８】
0003944678.tif 000019